(57)【要約】【課題】  ポリゴンモータの回転に伴う振動の影響を抑制して、感光体に対して極力結像ずれのない状態で静電潜像を形成することの可能な画像形成装置のレーザスキャナユニットの提供。【解決手段】  感光体に静電潜像を形成するレーザスキャナユニット２が、レーザ光源６からのレーザ光を偏向操作するポリゴンミラー７を備えたポリゴンモータ８と、感光体にレーザ光を結像するための光学系９を備えている画像形成装置のレーザスキャナユニットで、光学系９が、レーザスキャナユニット用のハウジング１３に取り付けられ、ポリゴンモータ８が、ハウジング１３と別部材のモータ取り付け部材１４に取り付けられて、ハウジング１３とモータ取り付け部材１４が本体フレーム１５に取り付けられている。【選択図】        図３
2006035570.tif 000002
【特許請求の範囲】
【請求項１】
感光体に静電潜像を形成するレーザスキャナユニットが、レーザ光源からのレーザ光を偏向操作するポリゴンミラーを備えたポリゴンモータと、前記感光体にレーザ光を結像するための光学系を備えている画像形成装置のレーザスキャナユニットであって、
前記光学系が、レーザスキャナユニット用のハウジングに取り付けられ、前記ポリゴンモータが、前記ハウジングと別部材のモータ取り付け部材に取り付けられて、前記ハウジングとモータ取り付け部材が本体フレームに取り付けられている画像形成装置のレーザスキャナユニット。
【請求項２】
前記ハウジングとモータ取り付け部材が、共用の締め付け具によって前記本体フレームに共締めされている請求項１に記載の画像形成装置のレーザスキャナユニット。
【請求項３】
前記本体フレームに剛性を付与する複数のリブが、その本体フレームの裏面に取り付けられている請求項１または２に記載の画像形成装置のレーザスキャナユニット。
【発明の詳細な説明】
【技術分野】
【０００１】
本発明は、感光体に静電潜像を形成するレーザスキャナユニットが、レーザ光源からのレーザ光を偏向操作するポリゴンミラーを備えたポリゴンモータと、前記感光体にレーザ光を結像するための光学系を備えている画像形成装置のレーザスキャナユニットに関する。
【背景技術】
【０００２】
このような画像形成装置としては、複写機、プリンタ、ファクシミリなどがあり、従来、レーザ光を結像するための光学系とポリゴンミラーを備えたポリゴンモータが、同じ取り付け部材に一体化して取り付けられ、かつ、その取り付け部材が、ネジやコイルスプリングなどを介して装置本体側に取り付けられた構成のものが知られている（例えば、特許文献１参照）。
【０００３】
【特許文献１】公開２００２−３１１３６５号公報
【発明の開示】
【発明が解決しようとする課題】
【０００４】
上記特許文献に記載の従来技術では、ポリゴンモータの回転に伴う振動が取り付け部材に直接伝達され、そのため、取り付け部材に取り付けられた光学系とポリゴンミラーが、取り付け部材と一緒に振動することになる。
ところが、取り付け部材の形状は必ずしも対称形とは限らず、また、振動源となるポリゴンモータは必ずしも取り付け部材の重心近くに位置するものではないので、光学系の振動変位量とポリゴンミラーの振動変位量とが一致せずにずれが生じ、それが原因となって感光体に対するレーザ光の結像にずれが生じるという欠点があり、特に取り付け部材と装置本体との間にコイルスプリングなどが介在する場合には、その傾向が顕著となる。
【０００５】
本発明は、このような従来の問題点に着目したもので、その目的は、ポリゴンモータの回転に伴う振動の影響を抑制して、感光体に対して極力結像ずれのない状態で静電潜像を形成することの可能な画像形成装置のレーザスキャナユニットを提供することにある。
【課題を解決するための手段】
【０００６】
本発明の第１の特徴構成は、感光体に静電潜像を形成するレーザスキャナユニットが、レーザ光源からのレーザ光を偏向操作するポリゴンミラーを備えたポリゴンモータと、前記感光体にレーザ光を結像するための光学系を備えている画像形成装置のレーザスキャナユニットであって、前記光学系が、レーザスキャナユニット用のハウジングに取り付けられ、前記ポリゴンモータが、前記ハウジングと別部材のモータ取り付け部材に取り付けられて、前記ハウジングとモータ取り付け部材が本体フレームに取り付けられているところにある。
【０００７】
本発明の第１の特徴構成によれば、感光体に静電潜像を形成するレーザスキャナユニットのうち、感光体にレーザ光を結像する光学系が、レーザスキャナユニット用のハウジングに取り付けられ、レーザ光源からのレーザ光を偏向操作するポリゴンミラーを備えたポリゴンモータが、そのレーザスキャナユニット用のハウジングと別部材のモータ取り付け部材に取り付けられて、そのハウジングとモータ取り付け部材が本体フレームに取り付けられているので、ポリゴンモータの回転に伴う振動が、そのままレーザスキャナユニット用のハウジングに直接伝達されることはない。
したがって、ポリゴンモータの回転に伴うレーザスキャナユニットの振動が抑制され、その結果、感光体に対して極力結像ずれのない状態で静電潜像を形成することが可能となる。
【０００８】
本発明の第２の特徴構成は、前記ハウジングとモータ取り付け部材が、共用の締め付け具によって前記本体フレームに共締めされているところにある。
【０００９】
本発明の第２の特徴構成によれば、レーザスキャナユニット用のハウジングとモータ取り付け部材が、共用の締め付け具によって本体フレームに共締めされているので、締め付け具の共用化による部品点数の減少を図りながら、レーザスキャナユニット用のハウジング、モータ取り付け部材、および、本体フレームを一体化することによって、その一体化された部材全体の剛性を高めることができる。
このようにして、３つの部材を一体化して剛性を高めることで、その一体化された部材全体の振動変位量を少なくすることができ、したがって、ポリゴンモータの回転に起因する結像ずれをより一層抑制することができる。
【００１０】
本発明の第３の特徴構成は、前記本体フレームに剛性を付与する複数のリブが、その本体フレームの裏面に取り付けられているところにある。
【００１１】
本発明の第３の特徴構成によれば、本体フレームに剛性を付与する複数のリブが、その本体フレームの裏面に取り付けられているので、本体フレーム自体の剛性が高くなるとともに、上述したように、３つの部材を一体化する場合には、一体化された部材の剛性が更に高くなり、感光体に対する結像ずれをより確実に抑制することができる。
【発明を実施するための最良の形態】
【００１２】
本発明による画像形成装置のレーザスキャナユニットにつき、その実施の形態を図面に基づいて説明する。
このような画像形成装置としては、例えば、複写機、プリンタ、ファクシミリなどがあり、図１〜図３に示すように、感光体ドラム１やその感光体ドラム１に静電潜像を形成するレーザスキャナユニット（以下、「ＬＳＵ」と略称する）２などを備え、感光体ドラム１の周りには、感光体ドラム１の表面を均一に帯電する帯電器３、ＬＳＵ２により形成された静電潜像をトナー現像する現像ローラ４、感光体ドラム１のトナー像を用紙Ｐに転写する転写ローラ５などが配設されている。
【００１３】
ＬＳＵ２は、レーザ光を照射するレーザ光源６、レーザ光源６からのレーザ光を偏向操作するポリゴンミラー７を備えたポリゴンモータ８、および、感光体ドラム１にレーザ光を結像する光学系９などを備えている。
レーザ光を結像するための光学系９には、各種のレンズやミラーなどが含まれるが、この実施形態の場合には、ｆθレンズ１０、シリンドリカルレンズ１１、折り返しミラー１２などが含まれ、これらのレンズ１０，１１やミラー１２からなる光学系９が、合成樹脂製のＬＳＵ用のハウジング１３にビスなどによってそれぞれ取り付けられ、さらに、レーザ光源６もＬＳＵ用のハウジング１３に取り付けられている。
【００１４】
それに対して、ポリゴンモータ８は、ＬＳＵ用のハウジング１３と別部材のモータ取り付け部材１４に対してビスなどにより取り付けられ、後に詳しく説明するように、そのモータ取り付け部材１４とハウジング１３が、本体フレーム１５に取り付けられた状態で、ポリゴンモータ８とポリゴンミラー７が、ハウジング１３に設けられた開口１３ａから上方に突出するように構成されている。
モータ取り付け部材１４と本体フレーム１５は、アルミなどの金属材料で形成され、本体フレーム１５の裏面には、本体フレーム１５に剛性を付与する複数のリブ１５ａが本体フレーム１５と一体的に形成されている。
【００１５】
本体フレーム１５は、装置フレームに対して強固に固着されるもので、その本体フレーム１５には、共用の締め付け具としての複数の取り付けビス１６が螺合するネジ孔１５ｂが設けられている。その本体フレーム１５のネジ孔１５ｂに対応して、ＬＳＵ用のハウジング１３には複数の貫通孔１３ｂが設けられ、さらに、モータ取り付け部材１４にも複数の貫通孔１４ａが設けられている。
そして、本体フレーム１５の上面にモータ取り付け部材１４を載置し、さらに、そのモータ取り付け部材１４の上面にハウジング１３を載置し、ハウジング１３の貫通孔１３ｂとモータ取り付け部材１４の貫通孔１４ａにわたって取り付けビス１６を挿通して本体フレーム１５のネジ孔１５ｂに螺合して共締めすることにより、ハウジング１３の開口１３ａから上方にポリゴンモータ８とポリゴンミラー７が突出し、ハウジング１３に取り付けられた光学系９とポリゴンミラー７が所定の位置に設置されるように設定されている。
【００１６】
〔別実施形態〕
（１）先の実施形態では、本体フレーム１５に対してレーザスキャナユニット用のハウジング１３とモータ取り付け部材１４を取り付けビス１６により共締めした例を示したが、例えば、本体フレーム１５に対してレーザスキャナユニット用のハウジング１３を複数のビスで取り付け、別のビスによってモータ取り付け部材１４を本体フレーム１５に取り付けることもできる。
【００１７】
（２）先の実施形態では、本体フレーム１５の裏面に剛性を付与する複数のリブ１５ａを一体的に形成した例を示したが、複数のリブ１５ａを本体フレーム１５と別体に形成し、ビスや接着剤などを用いて本体フレーム１５の裏面に取り付けることもできる。
さらに、剛性を付与するリブ１５ａを設けることなく、例えば、アルミなどの金属材料からなる本体フレーム１５の厚みを厚くして、本体フレーム１５の剛性を高めることもできる。
【図面の簡単な説明】
【００１８】
【図１】画像形成装置のレーザスキャナユニットの縦断側面図
【図２】レーザスキャナユニットの要部の縦断側面図
【図３】レーザスキャナユニットの分解斜視図
【符号の説明】
【００１９】
１      感光体
２      レーザスキャナユニット
６      レーザ光源
７      ポリゴンミラー
８      ポリゴンモータ
９      光学系
１３    レーザスキャナユニット用のハウジング
１４    モータ取り付け部材
１５    本体フレーム
１５ａ  リブ
１６    共用の締め付け具
【図１】
2006035570.tif 000003
【図２】
2006035570.tif 000004
【図３】
2006035570.tif 000005